(57)【要約】【課題】視野角の差を低減させて表示品質を向上させた三次元表示可能な表示装置を提供する。【解決手段】前面液晶パネル１の薄膜トランジスタ基板の配向膜に施された液晶配向制御能付与方向ＴＦＴは左右の水平方向Ｈ−Ｈ’から４５°、カラーフィルタ基板の配向膜に施された液晶配向制御能付与方向ＣＦは水平方向Ｈ−Ｈ’から４５°である。液晶配向制御能付与方向ＣＦは液晶配向制御能付与方向ＴＦＴに９０°で交差させる。後面液晶パネル２の薄膜トランジスタ基板の配向膜に施された液晶配向制御能付与方向ＴＦＴは水平方向Ｈ−Ｈ’から４５°、カラーフィルタ基板の配向膜に施された液晶配向制御能付与方向ＣＦは水平方向Ｈ−Ｈ’から４５°で、液晶配向制御能付与方向ＣＦは液晶配向制御能付与方向ＴＦＴと９０°で交差させる。【選択図】図１
2007127910.tif 000002
【特許請求の範囲】
【請求項１】
前面液晶パネルと、この前面液晶パネルの後面に重畳させた後面液晶パネルとを有し、前記前面液晶パネルの表示部に表示される二次元画像と前記後面液晶パネルの表示部に表示される二次元画像との重ね合わせで前記前面液晶パネル側に三次元画像を生成する表示装置であって、
前記前面液晶パネルと前記後面液晶パネルは共に、主面に配向膜を有する第１基板および主面に配向膜を有する第２基板の当該各配向膜の間に液晶層を封止してなり、
前記前面液晶パネルを構成する第１基板の配向膜に施された液晶配向制御能付与方向と第２基板の配向膜に施された液晶配向制御能付与方向とが交差しており、
前記後面液晶パネルを構成する第１基板の配向膜に施された液晶配向制御能付与方向と第２基板の配向膜に施された液晶配向制御能付与方向とが交差しており、
前記前面液晶パネルの第１基板の配向膜に施された液晶配向制御能付与方向と、前記後面液晶パネルの第１基板の配向膜に施された液晶配向制御能付与方向とが互いに逆方向で、かつ、前記前面液晶パネルの第２基板の配向膜に施された液晶配向制御能付与方向と、前記後面液晶パネルの第２基板の配向膜に施された液晶配向制御能付与方向とが互いに逆方向であることを特徴とする表示装置。
【請求項２】
請求項１に記載の表示装置において、
前記前面液晶パネルの液晶層を構成する液晶分子の第１基板側での捻れ方向が、前記後面液晶パネルの液晶層を構成する液晶分子の第１基板側での捻れ方向と同じであることを特徴とする表示装置。
【請求項３】
請求項１に記載の表示装置において、
前記前面液晶パネルの液晶層を構成する液晶分子の第２基板側での捻れ方向が、前記後面液晶パネルの液晶層を構成する液晶分子の第２基板側での捻れ方向と同じであることを特徴とする表示装置。
【請求項４】
請求項１乃至３の何れかに記載の表示装置において、
前記前面液晶パネルの前記後面液晶パネルとは反対側に前面偏光板を備え、前記後面液晶パネルの前記前面液晶パネルとは反対側に後面偏光板を備えていることを特徴とする表示装置。
【請求項５】
請求項４に記載の表示装置において、
前記前面偏光板および前記後面偏光板の外側に、それぞれ視野角拡大フィルムを備えていることを特徴とする表示装置。
【請求項６】
前面液晶パネルと、この前面液晶パネルの後面に重畳させた後面液晶パネルとを有し、前記前面液晶パネルの表示部に表示される二次元画像と前記後面液晶パネルの表示部に表示される二次元画像との重ね合わせで前記前面液晶パネル側に三次元画像を生成する表示装置であって、
前記前面液晶パネルと前記後面液晶パネルは共に、主面に配向膜を有する第１基板および主面に配向膜を有する第２基板の当該各配向膜の間に液晶層を封止してなり、
前記前面液晶パネルを構成する第１基板の配向膜に施された液晶配向制御能付与方向と第２基板の配向膜に施された液晶配向制御能付与方向とが交差しており、
前記前面液晶パネルの第１基板の配向膜に施された液晶配向制御能付与方向と、前記後面液晶パネルの第２基板の配向膜に施された液晶配向制御能付与方向とが互いに同方向で、かつ、前記前面液晶パネルの第２基板の配向膜に施された液晶配向制御能付与方向と、前記後面液晶パネルの第１基板の配向膜に施された液晶配向制御能付与方向とが互いに同方向であることを特徴とする表示装置。
【請求項７】
請求項６に記載の表示装置において、
前記前面液晶パネルの液晶層を構成する液晶分子の第１基板側の捻れ方向が、前記後面液晶パネルの液晶層を構成する液晶分子の第１基板側の捻れ方向とは逆であることを特徴とする表示装置。
【請求項８】
請求項６に記載の表示装置において、
前記前面液晶パネルの液晶層を構成する液晶分子の第２基板側の捻れ方向が、前記後面液晶パネルの液晶層を構成する液晶分子の第２基板側の捻れ方向とは逆であることを特徴とする表示装置。
【請求項９】
請求項６乃至８の何れかに記載の表示装置において、
前記前面液晶パネルの前記後面液晶パネルとは反対側に前面偏光板を備え、前記後面液晶パネルの前記前面液晶パネルとは反対側に後面偏光板を備えていることを特徴とする表示装置。
【請求項１０】
請求項９に記載の表示装置において、
前記前面偏光板および前記後面偏光板の外側に、それぞれ視野角拡大フィルムを備えていることを特徴とする表示装置。
【発明の詳細な説明】
【技術分野】
【０００１】
本発明は、表示装置に係り、特に二枚の表示装置に表示される画像を重ね合わせることで、立体画像を表示する表示装置に関する。
【背景技術】
【０００２】
特殊な眼鏡等を使用することなく表示画面に三次元的立体画像を表示させようとする技術について特許文献１を挙げることができる。特許文献１では、観察者から見て異なった奥行き位置にある複数の表示面に対して、表示対象物体を前記観察者の視線方向から射影した二次元画像を生成する。生成された二次元画像を観察者から見て異なった奥行き位置にある複数の表示面にそれぞれ表示し、表示される二次元像の輝度を前記各表示面毎にそれぞれ独立に変化させて、三次元的立体画像を生成する。そして、特許文献１には、この三次元表示方法において、各表示面に表示される二次元画像の透過度を各表示面毎にそれぞれ独立に変化させて、各表示面に表示される二次元画像の輝度をそれぞれ独立に変化させることについて記載されている。
【特許文献１】特開２００１-５４１４４号公報
【発明の開示】
【発明が解決しようとする課題】
【０００３】
図１３は、二枚の液晶パネルを前後に重ね合わせて三次元画像を生成する表示装置の概略構成を説明する図である。この表示装置は、前面液晶パネル１と後面液晶パネル２を重畳し、両液晶パネルに表示された画像を重ね合わせることで三次元画像を表示する。前面液晶パネル１の表面側（後面液晶パネル２と反対側）と後面液晶パネル２の背面（前液晶パネル２と反対側）には、偏光板３と偏光板４がそれぞれ配置されている。
【０００４】
前面液晶パネル１は、第１基板１Ａと第２基板１Ｂの間に液晶層１Ｃが挟持されて、シール材１Ｄで封止されている。同様に、後面液晶パネル２は、第１基板２Ａと第２基板２Ｂの間に液晶層２Ｃが挟持されて、シール材２Ｄで封止されている。前面液晶パネル１と後面液晶パネル２に表示された画像は、後面液晶パネル２の背面に設けられた照明装置（バックライト）５０からの照明光で照明されて、前面液晶パネル１の偏光板３側から三次元画像として出射する。
【０００５】
この種の液晶パネルでは、その液晶層を構成する液晶分子の配向方向、あるいは捻れ方向により、表示面の上下方向、左右方向での視角特性、すなわち視野角に差が生じる。特に、液晶パネルの第１基板の主面に有する配向膜に付与される液晶配向制御能の方向が上下方向から略４５°で、第２基板の主面に有する配向膜に付与される液晶配向制御能の方向が第１基板のラビング方向と９０°で交差するようなものでは、上下方向の視野角に大きな差が生じ、画面を見る方向で画像のコントラストが異なる。これは、表示品質を劣化させる原因の一つである。
【０００６】
本発明の目的は、このような視野角の差を低減させて表示品質を向上させた三次元表示可能な表示装置を提供することにある。なお、液晶パネルの第１基板は、アクティブ・マトリクス型の液晶パネルでは通常は薄膜トランジスタを含む画素回路や駆動回路を形成されていることから、ここでは薄膜トランジスタ基板と称する。また、液晶配向制御能の方向は、その一般的な制御能付与方法がラビングであることから、通常はラビング方向と称する（液晶配向制御能の付与には、この他に偏光照射による光配向方法、旧くは斜方蒸着などが知られている）。第２基板は、通常、カラーフィルタが形成される基板であることからカラーフィルタ基板と称する。
【課題を解決するための手段】
【０００７】
本発明は、二枚の表示装置の画像表示部を重ねることで観測者に立体的な表示に見せることができる表示装置を提供する。本発明の表示装置では、液晶パネルを前面と後面に物理的に重ねて使用する。本発明の代表的な構成は以下のとおりである。
【０００８】
本発明の表示装置は、前面液晶パネルと、この前面液晶パネルの後面に重畳させた後面液晶パネルとを有し、前面液晶パネルの表示部に表示される二次元画像と後面液晶パネルの表示部に表示される二次元画像との重ね合わせで前面液晶パネル側に三次元画像を生成する。
【０００９】
そして、前面液晶パネルと後面液晶パネルは共に、主面に配向膜を有する第１基板および主面に配向を有する第２基板の当該各配向膜の間に液晶層が封止されている。
【００１０】
前面液晶パネルを構成する第１基板（薄膜トランジスタ基板）の配向膜に施された液晶配向制御能付与方向と第２基板の配向膜に施された液晶配向制御能付与方向とが交差している。
【００１１】
後面液晶パネルを構成する第１基板の配向膜に施された液晶配向制御能付与方向と第２基板の配向膜に施された液晶配向制御能付与方向とが交差している。
【００１２】
前面液晶パネルの第１基板の配向膜に施された液晶配向制御能付与方向と、後面液晶パネルの第１基板の配向膜に施された液晶配向制御能付与方向とが互いに逆方向で、かつ、前面液晶パネルの第２基板の配向膜に施された液晶配向制御能付与方向と、後面液晶パネルの第２基板の配向膜に施された液晶配向制御能付与方向とが互いに逆方向である。
【００１３】
前面液晶パネルの液晶層を構成する液晶分子の捻れ方向は、後面液晶パネルの液晶層を構成する液晶分子の捻れ方向と同じである。
【００１４】
前面液晶パネルの後面液晶パネルとは反対側に前面偏光板を備え、後面液晶パネルの前面液晶パネルとは反対側に後面偏光板を備えている。
【００１５】
前面偏光板および後面偏光板の外側に、それぞれ視野角拡大フィルムを備えることができる。
【００１６】
また、本発明の表示装置は、前面液晶パネルと、この前面液晶パネルの後面に重畳させた後面液晶パネルとを有し、前面液晶パネルの表示部に表示される二次元画像と後面液晶パネルの表示部に表示される二次元画像との重ね合わせで前面液晶パネル側に三次元画像を生成する。
【００１７】
前面液晶パネルと後面液晶パネルは共に、主面に配向膜を有する第１基板および主面に配向を有する第２基板の当該各配向膜の間に液晶層が封止されている。
【００１８】
前面液晶パネルを構成する第１基板の配向膜に施された液晶配向制御能付与方向と第２基板の配向膜に施された液晶配向制御能付与方向とが交差している。
【００１９】
前面液晶パネルの第１基板の配向膜に施された液晶配向制御能付与方向と、後面液晶パネルの第２基板の配向膜に施された液晶配向制御能付与方向とが互いに同方向で、かつ、前面液晶パネルの第２基板の配向膜に施された液晶配向制御能付与方向と、後面液晶パネルの第１基板の配向膜に施された液晶配向制御能付与方向とが互いに同方向である。
【００２０】
前面液晶パネルの液晶層を構成する液晶分子の捻れ方向が、後面液晶パネルの液晶層を構成する液晶分子の捻れ方向とは逆である。
【００２１】
前面液晶パネルの後面液晶パネルとは反対側に前面偏光板を備え、後面液晶パネルの前面液晶パネルとは反対側に後面偏光板を備えている。
【００２２】
前面偏光板および後面偏光板の外側に、それぞれ視野角拡大フィルムを備えている。
【発明の効果】
【００２３】
本発明によれば、二枚の液晶パネルを重ねて、各液晶パネルに画像データと階層情報を与えることで、観測者に立体的な表示に見せることができる。
【発明を実施するための最良の形態】
【００２４】
以下、本発明の実施の形態につき、実施例の図面を参照して詳細に説明する。
【実施例１】
【００２５】
図１は、二枚の液晶パネルを用いた本発明の表示装置の実施例１の構成を説明する図である。図１において、前面液晶パネル（ＬＣＤ１）１と、この前面液晶パネル１の後面に重畳させた後面液晶パネル（ＬＣＤ２）２とを有し、前面液晶パネル１の表示部に表示される二次元画像と後面液晶パネル２の表示部に表示される二次元画像との重ね合わせで前面液晶パネル１側に三次元画像を生成する。
【００２６】
そして、前面液晶パネル１と後面液晶パネル２は共に、主面に配向膜を有する薄膜トランジスタ基板および主面に配向を有するカラーフィルタ基板の当該各配向膜の間に液晶層が封止されている。なお、配向膜や液晶層は図示を省略してある。
【００２７】
図１の右側に上記した配向膜のラビング方向を示す。前面液晶パネル１を構成する薄膜トランジスタ基板の配向膜に施された液晶配向制御能付与方向ＴＦＴは左右の水平方向Ｈ−Ｈ’から４５°である。その捻れ角は時計周りにαである。カラーフィルタ基板の配向膜に施された液晶配向制御能付与方向ＣＦは水平方向Ｈ−Ｈ’から４５°である。その捻れ角は反時計周りにβである。液晶配向制御能付与方向ＣＦは液晶配向制御能付与方向ＴＦＴに４５°で交差している。
【００２８】
後面液晶パネル２を構成する薄膜トランジスタ基板の配向膜に施された液晶配向制御能付与方向ＴＦＴは水平方向Ｈ−Ｈ’から４５°である。その捻れ角は時計周りにαである。カラーフィルタ基板の配向膜に施された液晶配向制御能付与方向ＣＦは水平方向Ｈ−Ｈ’から４５°である。その捻れ角は反時計周りにβである。液晶配向制御能付与方向ＣＦは液晶配向制御能付与方向ＴＦＴと９０°で交差している。
【００２９】
すなわち、前面液晶パネルの第１基板の配向膜に施された液晶配向制御能付与方向ＴＦＴと、後面液晶パネルの第１基板の配向膜に施された液晶配向制御能付与方向ＴＦＴとは互いに逆方向で、かつ、前面液晶パネルの第２基板の配向膜に施された液晶配向制御能付与方向ＣＦと、後面液晶パネルの第２基板の配向膜に施された液晶配向制御能付与方向ＣＦとは互いに逆方向である。
【００３０】
そして、前面液晶パネル１および後面液晶パネル２の薄膜トランジスタ基板側では液晶層を構成する液晶分子の捻れ角方向αは時計周り、カラーフィルタ基板側の液晶分子の捻れ方向βは反時計周りである。
【００３１】
前面液晶パネル１の後面液晶パネル２とは反対側に前面偏光板３を備え、後面液晶パネルの前面液晶パネルとは反対側に後面偏光板４を備えている。
【００３２】
なお、前面偏光板および後面偏光板の外側に、それぞれ視野角拡大フィルムを備えることができる。
【００３３】
実施例１により、画面の上下方向（垂直方向）、左右方向（水平方向）共に略対称なコントラストと白輝度、黒輝度が得られ、高品質の三次元画像表示を実現できる。
【実施例２】
【００３４】
図２は、二枚の液晶パネルを用いた本発明の表示装置の実施例２の構成を説明する図である。図２に示した表示装置も実施例１と同様に、前面液晶パネル（ＬＣＤ１）１と、この前面液晶パネル１の後面に重畳させた後面液晶パネル（ＬＣＤ２）２とを有し、前面液晶パネル１の表示部に表示される二次元画像と後面液晶パネル２の表示部に表示される二次元画像との重ね合わせで前面液晶パネル１側に三次元画像を生成する。
【００３５】
そして、前面液晶パネル１と後面液晶パネル２は共に、主面に配向膜を有する薄膜トランジスタ基板および主面に配向を有するカラーフィルタ基板の当該各配向膜の間に液晶層が封止されている。なお、図２でも配向膜や液晶層は図示を省略してある。
【００３６】
図２の右側に上記した配向膜のラビング方向を示す。前面液晶パネル１を構成する薄膜トランジスタ基板の配向膜に施された液晶配向制御能付与方向ＴＦＴは左右の水平方向Ｈ−Ｈ’から４５°で、その捻れ角は時計周りにαである。カラーフィルタ基板の配向膜に施された液晶配向制御能付与方向ＣＦは左右の水平方向Ｈ−Ｈ’から４５°で、その捻れ角は反時計周りにβである。液晶配向制御能付与方向ＣＦは液晶配向制御能付与方向ＴＦＴに９０°で交差している。
【００３７】
後面液晶パネル２を構成する薄膜トランジスタ基板の配向膜に施された液晶配向制御能付与方向ＴＦＴは水平方向Ｈ−Ｈ’から４５°で、その捻れ角は反時計周りにαである。カラーフィルタ基板の配向膜に施された液晶配向制御能付与方向ＣＦは水平方向Ｈ−Ｈ’から４５°で、その捻れ角は時計周りでβである。液晶配向制御能付与方向ＣＦは液晶配向制御能付与方向ＴＦＴに９０°で交差している。
【００３８】
前面液晶パネルの薄膜トランジスタ基板の配向膜に施された液晶配向制御能付与方向ＴＦＴと、後面液晶パネルの薄膜トランジスタ基板の配向膜に施された液晶配向制御能付与方向ＴＦＴとは９０°で交差、かつ、前面液晶パネルのカラーフィルタ基板の配向膜に施された液晶配向制御能付与方向ＣＦと、後面液晶パネルのカラーフィルタ基板の配向膜に施された液晶配向制御能付与方向ＣＦとは互いに９０°で交差している。
【００３９】
そして、前面液晶パネル１および後面液晶パネル２の薄膜トランジスタ基板側では液晶層を構成する液晶分子の捻れ角方向αは互いに逆方向、カラーフィルタ基板側の液晶分子の捻れ方向βは互いに逆周りである。
【００４０】
前面液晶パネル１の後面液晶パネル２とは反対側に前面偏光板３を備え、後面液晶パネルの前面液晶パネルとは反対側に後面偏光板４を備えている。
【００４１】
なお、前面偏光板および後面偏光板の外側に、それぞれ視野角拡大フィルムを備えることができる。
【００４２】
実施例２によっても、画面の上下方向（垂直方向）、左右方向（水平方向）共に略対称なコントラストと白輝度、黒輝度が得られ、高品質の三次元画像表示を実現できる。
【００４３】
図３は、二枚の液晶パネルを用いた本発明の表示装置の実施例３の構成を説明する図である。実施例３は、前記した実施例１あるいは実施例２に視野角拡大フィルムを設けたものである。二枚の液晶パネルの各偏光板の上に視野角拡大フィルム５、６を設置した。
【００４４】
実施例３により、視野角の差が低減されると共に、視野角がさらに拡大された三次元画像を表示できる。
【００４５】
図４は、二枚の液晶パネルを用いた本発明の表示装置のシステム構成例の説明図である。図４に点線で囲った部分２０が表示装置として構成される部分である。この表示装置は、外部からの信号源（画像信号源）３０とＤＣ電源４０に接続されている。
【００４６】
このような構成の場合には、信号源３０からは二枚の液晶パネル１，２の夫々に信号を供給することになる。また、タイミングコントローラ（以下、ＴＣＯＮ）基板２３には、２個のＴＣＯＮ２４、２５が搭載されており、それぞれ前面液晶パネル１、後面液晶パネル２と接続されている。
【００４７】
このシステムにおいて、前面液晶パネル１へは信号源３０から前面液晶パネル１用の入力Ｉ／Ｆ信号２１の信号群が出力され、ＴＣＯＮ２４で前面液晶パネル１用の出力Ｉ／Ｆ信号２６の信号群に変換されて前面液晶パネル１に入力される。同様に、後面液晶パネル２へは、信号源３０から後面液晶パネル２用の入力Ｉ／Ｆ信号２２の信号群が出力され、ＴＣＯＮ２５で後面液晶パネル２用の出力Ｉ／Ｆ信号２７の信号群に変換されて後面液晶パネル２に入力される。
【００４８】
一方、ＤＣ電源４０はＴＣＯＮ基板２３へは電圧ＶＣＣを供給し、インバータ基板２８へは電圧ＶＤＤを供給する。インバータ基板２８は冷陰極蛍光灯（ＣＦＬ）やＬＥＤ等の光源（バックライト）１０に接続されている。
【００４９】
このようなシステム構成においては、信号源３０では、前面液晶パネル（ＬＣＤ１）１を動作させるためのＲＧＢの各表示データ及び垂直、水平、ＤＴＭＧの同期信号が作られる。同様に、後面液晶パネル（ＬＣＤ２）２を動作させるためのＲＧＢ各表示データ及び垂直、水平、ＤＴＭＧの同期信号が作られる。
【００５０】
従って、このシステムでは、２系統の表示データを作り出す信号源を必要とするが、画像信号を制御するグラフィックコントローラーは、一般的には１系統の出力となるため、２ヶのグラフィックコントローラーを併用して使うことにより実現される。また、最近では１ヶのグラフィックコントローラーで２系統の出力をもつものもあり、これらを使うことも可能である。信号源３０とＴＣＯＮの接続は２系統必要であり、コネクタやケーブルは２系統分必要になる。
【００５１】
次に、本発明による表示装置の視野角特性を前面液晶パネル（上パネル）、後面液晶パネル（下パネル）のそれぞれで計測した水平方向（左右方向）と垂直方向（上下方向）の各方向でのコントラスト、白輝度および黒輝度を図５〜図１２で説明する。図５〜図１２において、白抜き三角印を結んだグラフが本発明の表示装置（実施例１の構成で代表）を持つ表示装置すなわち前面液晶パネルに対する後面液晶パネルの各基板の液晶配向制御能付与方向が逆方向（１８０度反対向きとした表示装置）の特性を示す。また、黒四角印を結んだグラフは比較例１の表示装置の特性、菱形印を結んだグラフは比較例２の表示装置の特性を示す。
【００５２】
比較例１の表示装置は、前面液晶パネルと後面液晶パネルが同じ液晶パネル、すなわち両者の薄膜トランジスタ基板の液晶配向制御能付与方向ＴＦＴとカラーフィルタ基板の液晶配向制御能付与方向ＣＦとは同一の表示装置である。そして、比較例２の表示装置は、比較例１の表示装置に視野角拡大フィルム（ＷＶフィルム）を設置した表示装置である。
【００５３】
なお、図５〜図１２の特性測定は、
測定器:ＥＺ−contrast(デＱＡ製)
測定箇所:液晶パネルのセンター、水平床起き
測定環境:室温２５．０℃
バックライト仕様:ハリソン東芝ライティング社製
バックライト点灯時間:２時間以上
とした。
【００５４】
図５〜図１２における横軸は視角（正面からのずれ角）を[ｄｅｇ.]で示し、図５〜図８の縦軸はコントラストＣＲ（相対値）を示す。また、図９〜図１２の縦軸は輝度[ｃｄ/ｍ2]（相対値）を示す。
【００５５】
図５は、表示装置を構成する前面液晶パネルの水平方向コントラストを本発明の構成と比較例１および比較例２の水平方向コントラストと共に示した図である。図６は、表示装置を構成する前面液晶パネルの垂直方向コントラストを本発明の構成と比較例１および比較例２と共に示した図である。図５と図６に示されたように、本発明の構成とした表示装置の前面液晶パネルの水平および垂直方向コントラストＣＲは比較例１のそれらに比べて格段に向上している。
【００５６】
図７は、表示装置を構成する後面液晶パネルの水平方向コントラストを本発明の構成と比較例１および比較例２の水平方向コントラストと共に示した図である。図８は、表示装置を構成する後面液晶パネルの垂直方向コントラストを本発明の構成と比較例１および比較例２と共に示した図である。図７と図８に示されたように、本発明の構成とした表示装置の後面液晶パネルの水平および垂直方向コントラストＣＲは比較例１のそれらに比べて格段に向上している。
【００５７】
図６と図８から明らかなように、視野拡大フィルム（ＷＶフィルム）無しでは上下（垂直）方向で非対称（つまり、視角差あり）であるのに対し、視野拡大フィルム無しを１８０度書回転させたものでは上下（垂直）方向で対称（つまり、視角差無し）となることが示される。
【００５８】
図９は、表示装置を構成する前面液晶パネルの水平方向白輝度を本発明の構成と比較例１および比較例２の水平方向白輝度と共に示した図である。図１０は、表示装置を構成する前面液晶パネルの垂直方向白輝度を本発明の構成と比較例１および比較例２と共に示した図である。図９と図１０に示されたように、本発明の構成とした表示装置の前面液晶パネルの水平および垂直方向白輝度は比較例１のそれらに比べて格段に向上している。
【００５９】
図１１は、表示装置を構成する前面液晶パネルの水平方向黒輝度を本発明の構成と比較例１および比較例２の水平方向黒輝度と共に示した図である。図１２は、表示装置を構成する前面液晶パネルの垂直方向黒輝度を本発明の構成と比較例１および比較例２と共に示した図である。図１１と図１２に示されたように、本発明の構成とした表示装置の前面液晶パネルは、黒輝度が低く（コントラストが高い）、入射角に対し輝度変化が少なく、かつ垂直方向での視野角が対称であることが表示装置として良好な特性を有するものである。
【００６０】
以上説明された特性を持つ前面液晶パネルと後面液晶パネルを組み合わせる本発明の表示装置は総合的にも比較例１に比べて格段に良好な視野角特性を有する。そして、図３に示した本発明の実施例３のように、本発明の実施例１の表示装置に比較例２と同様の視野角拡大フィルムを設置すれば比較例２よりもさらに良好な特性が得られる。
【図面の簡単な説明】
【００６１】
【図１】二枚の液晶パネルを用いた本発明の表示装置の実施例１の構成を説明する図である。
【図２】二枚の液晶パネルを用いた本発明の表示装置の実施例２の構成を説明する図である。
【図３】二枚の液晶パネルを用いた本発明の表示装置の実施例３の構成を説明する図である。
【図４】二枚の液晶パネルを用いた本発明の表示装置のシステム構成例の説明図である。
【図５】表示装置を構成する前面液晶パネルの水平方向コントラストを本発明の構成と比較例１および比較例２の水平方向コントラストと共に示した図である。
【図６】表示装置を構成する前面液晶パネルの垂直方向コントラストを本発明の構成と比較例１および比較例２と共に示した図である。
【図７】表示装置を構成する後面液晶パネルの水平方向コントラストを本発明の構成と比較例１および比較例２の水平方向コントラストと共に示した図である。
【図８】表示装置を構成する後面液晶パネルの垂直方向コントラストを本発明の構成と比較例１および比較例２と共に示した図である。
【図９】表示装置を構成する前面液晶パネルの水平方向白輝度を本発明の構成と比較例１および比較例２の水平方向白輝度と共に示した図である。
【図１０】表示装置を構成する前面液晶パネルの垂直方向白輝度を本発明の構成と比較例１および比較例２と共に示した図である。
【図１１】表示装置を構成する前面液晶パネルの水平方向黒輝度を本発明の構成と比較例１および比較例２の水平方向黒輝度と共に示した図である。
【図１２】表示装置を構成する前面液晶パネルの垂直方向黒輝度を本発明の構成と比較例１および比較例２と共に示した図である。
【図１３】二枚の液晶パネルを前後に重ね合わせて三次元画像を生成する表示装置の概略構成を説明する図である。
【符号の説明】
【００６２】
１・・・前面液晶パネル、２・・・後面液晶パネル、３・・・前面側の偏光板、４・・・後面側の偏光板。
【図１】
2007127910.tif 000003
【図２】
2007127910.tif 000004
【図３】
2007127910.tif 000005
【図４】
2007127910.tif 000006
【図５】
2007127910.tif 000007
【図６】
2007127910.tif 000008
【図７】
2007127910.tif 000009
【図８】
2007127910.tif 000010
【図９】
2007127910.tif 000011
【図１０】
2007127910.tif 000012
【図１１】
2007127910.tif 000013
【図１２】
2007127910.tif 000014
【図１３】
2007127910.tif 000015